【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
撮影手段と、
使用者により前記撮影手段による撮影を指示する撮像指示手段と、
前記撮影指示手段による撮影の指示が継続している間、前記撮影手段による撮影を繰り返して継続させる撮影制御手段と、
前記撮影制御手段によって前記撮影手段による撮影が繰り返し継続されている間に、変更する撮影条件を指定する指定手段と、
を備え、
前記撮影制御手段は、前記指定手段によって前記変更する撮影条件が指定された場合は、該指定された撮影条件を変更させながら繰り返し撮影するように前記撮影手段を制御することを特徴とするカメラ装置。
【請求項２】
前記撮影制御手段は、継続している撮影指示の開始時点における撮影条件を基準として、前記指定手段によって指定された撮影条件を変更させながら繰り返し撮影するように前記撮影手段を制御することを特徴とする請求項１記載のカメラ装置。
【請求項３】
使用者により、前記撮影手段による撮影準備を指示する撮影準備指示手段を更に備え、
前記撮影制御手段は、前記指定手段によって前記変更する撮影条件が指定された場合は、前記撮影準備指示手段による撮影準備指示の開始時点における撮影条件を基準として、前記指定手段によって指定された撮影条件を変更させながら繰り返し撮影するように前記撮影手段を制御することを特徴とする請求項１記載のカメラ装置。
【請求項４】
前記撮影制御手段は、前記撮影手段による撮影が繰り返し継続させている間に、前記指定手段によって前記変更する撮影条件が指定される毎に、当該指定手段によって指定された撮影条件を変更させながら繰り返し撮影するように前記撮影手段を実行することを特徴とする請求項１乃至３の何れかに記載のカメラ装置。
【請求項５】
前記指定手段によって指定する撮影条件は、フォーカス位置、又は露出値の少なくとも何れかを含むことを特徴とする請求項１乃至４いずれか記載のカメラ装置。
【請求項６】
撮影手段を有するカメラ装置における撮影方法であって、
使用者により前記撮影手段による撮影を指示する撮像指示ステップと、
前記撮影指示ステップによる撮影の指示が継続している間、前記撮影手段による撮影を繰り返して継続させる撮影制御ステップと、
前記撮影制御手段によって前記撮影手段による撮影が繰り返し継続されている間に、変更する撮影条件を指定する指定ステップと、
を含み、
前記撮影制御ステップは、前記指定ステップによって前記変更する撮影条件が指定された場合は、該指定された撮影条件を変更させながら繰り返し撮影するように前記撮影手段を制御することを特徴とする撮影方法。
【請求項７】
撮影手段を有するカメラ装置が有するコンピュータを、
使用者により前記撮影手段による撮影を指示する撮像指示手段、
前記撮影指示手段による撮影の指示が継続している間、前記撮影手段による撮影を繰り返して継続させる撮影制御手段、
前記撮影制御手段によって前記撮影手段による撮影が繰り返し継続されている間に、変更する撮影条件を指定する指定手段
として実行させ、
前記撮影制御手段は、前記指定手段によって前記変更する撮影条件が指定された場合は、該指定された撮影条件を変更させながら繰り返し撮影するように前記撮影手段を制御するように実行させることを特徴とするプログラム。
【手続補正２】
【補正対象書類名】明細書
【補正対象項目名】発明の名称
【補正方法】変更
【補正の内容】
【発明の名称】カメラ装置、撮影方法及びプログラム
【手続補正３】
【補正対象書類名】明細書
【補正対象項目名】０００１
【補正方法】変更
【補正の内容】
【０００１】
本発明は、カメラ装置、撮影方法及びプログラムに関するものである。
【手続補正４】
【補正対象書類名】明細書
【補正対象項目名】０００６
【補正方法】変更
【補正の内容】
【０００６】
本発明は、かかる従来の課題に鑑みてなされたものであり、異なる種類のブラケティング撮影を連続して行うときの使い勝手を向上させることが可能となるカメラ装置、撮影方法及びプログラムを提供することを目的とする。
【手続補正５】
【補正対象書類名】明細書
【補正対象項目名】０００７
【補正方法】変更
【補正の内容】
【０００７】
前記課題を解決するため請求項１記載の発明に係るカメラ装置にあっては、撮影手段と、使用者により前記撮影手段による撮影を指示する撮像指示手段と、前記撮影指示手段による撮影の指示が継続している間、前記撮影手段による撮影を繰り返して継続させる撮影制御手段と、前記撮影制御手段によって前記撮影手段による撮影が繰り返し継続されている間に、変更する撮影条件を指定する指定手段と、を備え、前記撮影制御手段は、前記指定手段によって前記変更する撮影条件が指定された場合は、該指定された撮影条件を変更させながら繰り返し撮影するように前記撮影手段を制御することを特徴とする。
【手続補正６】
【補正対象書類名】明細書
【補正対象項目名】０００８
【補正方法】変更
【補正の内容】
【０００８】
また、請求項２記載の発明に係るカメラ装置にあっては、前記撮影制御手段は、継続している撮影指示の開始時点における撮影条件を基準として、前記指定手段によって指定された撮影条件を変更させながら繰り返し撮影するように前記撮影手段を制御することを特徴とする。
【手続補正７】
【補正対象書類名】明細書
【補正対象項目名】０００９
【補正方法】変更
【補正の内容】
【０００９】
また、請求項３記載の発明に係るカメラ装置にあっては、使用者により、前記撮影手段による撮影準備を指示する撮影準備指示手段を更に備え、前記撮影制御手段は、前記指定手段によって前記変更する撮影条件が指定された場合は、前記撮影準備指示手段による撮影準備指示の開始時点における撮影条件を基準として、前記指定手段によって指定された撮影条件を変更させながら繰り返し撮影するように前記撮影手段を制御することを特徴とする。
【手続補正８】
【補正対象書類名】明細書
【補正対象項目名】００１０
【補正方法】変更
【補正の内容】
【００１０】
また、請求項４記載の発明に係るカメラ装置にあっては、前記撮影制御手段は、前記撮影手段による撮影が繰り返し継続させている間に、前記指定手段によって前記変更する撮影条件が指定される毎に、当該指定手段によって指定された撮影条件を変更させながら繰り返し撮影するように前記撮影手段を実行することを特徴とする。
【手続補正９】
【補正対象書類名】明細書
【補正対象項目名】００１１
【補正方法】変更
【補正の内容】
【００１１】
また、請求項５記載の発明に係るカメラ装置にあっては、前記指定手段によって指定する撮影条件は、フォーカス位置、又は露出値の少なくとも何れかを含むことを特徴とする。
【手続補正１０】
【補正対象書類名】明細書
【補正対象項目名】００１２
【補正方法】変更
【補正の内容】
【００１２】
また、請求項６記載の発明に係る撮影方法にあっては、撮影手段を有するカメラ装置における撮影方法であって、使用者により前記撮影手段による撮影を指示する撮像指示ステップと、前記撮影指示ステップによる撮影の指示が継続している間、前記撮影手段による撮影を繰り返して継続させる撮影制御ステップと、前記撮影制御手段によって前記撮影手段による撮影が繰り返し継続されている間に、変更する撮影条件を指定する指定ステップと、を含み、前記撮影制御ステップは、前記指定ステップによって前記変更する撮影条件が指定された場合は、該指定された撮影条件を変更させながら繰り返し撮影するように前記撮影手段を制御することを特徴とする。
【手続補正１１】
【補正対象書類名】明細書
【補正対象項目名】００１３
【補正方法】変更
【補正の内容】
【００１３】
また、請求項７記載の発明に係るプログラムにあっては、撮影手段を有するカメラ装置が有するコンピュータを、使用者により前記撮影手段による撮影を指示する撮像指示手段、前記撮影指示手段による撮影の指示が継続している間、前記撮影手段による撮影を繰り返して継続させる撮影制御手段、前記撮影制御手段によって前記撮影手段による撮影が繰り返し継続されている間に、変更する撮影条件を指定する指定手段として実行させ、前記撮影制御手段は、前記指定手段によって前記変更する撮影条件が指定された場合は、該指定された撮影条件を変更させながら繰り返し撮影するように前記撮影手段を制御するように実行させることを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】